(57)【特許請求の範囲】
【請求項１】
窓上枠に吊設したレール片と障子上框に設けた係合溝を互いに係合させて前記レール片に沿って移動する障子において、前記係合溝の底壁にねじ止めした外れ止め具本体の基盤に、相対する一対の支持片を、前記障子の上昇操作に伴って前記レール片が係合する係合間隙を存して立設し、該支持片に規制駒を、嵌合片において嵌合して組付け、前記規制駒を一対の該嵌合片と該嵌合片を回動軸線の偏心位置において互いに接続して前記係合間隙を閉塞する規制片とで構成すると共に、一方の前記嵌合片の円形状の周端面に受入溝を等間隔を存して並設し、前記規制片が前記係合間隙を閉塞したとき任意の該受入溝に係止する係止突条を、一方の前記嵌合片を嵌合した前記支持片の、前記周端面に沿う弾性片の内面に設けた、障子外れ止め装置。
【発明の詳細な説明】
【０００１】
【産業上の利用分野】
本発明は、窓上枠に吊設したレール片と障子上框に設けた係合溝を互いに係合させて前記レール片に沿って移動する障子の外れ止め装置に関するものである。
【０００２】
【従来の技術】
窓上枠に吊設したレール片と障子上框に設けた係合溝を互いに係合させて前記レール片に沿って移動するようにした引戸障子は、必要に応じて窓枠より取り外す際、けんどん方式で行うのが一般で、このけんどん方式の取外しは、例えば、引違い障子のように内外の障子相互の関係で施錠状態にしてある場合、該内外障子を同時に取り外し操作を行うことにより取り外せる場合があり、防犯上好ましくない。
【０００３】
このため、窓上枠側に規制子をねじ止めして障子の上昇を規制して障子の取り外しができないようにしている。
【０００４】
【発明が解決しようとする課題】
前記従来例は構造上、障子の窓枠からのけんどん操作による取り外しを確実に規制できるものであるが、必要に際して当該障子を取り外すには前記規制子を一々取り外さなければならない不便さがある。
【０００５】
本発明、斯様な従来例の欠点に着目し、斬新な構造の障子外れ止め装置を提供すべく創案したものである。
【０００６】
【課題を解決するための手段】
窓上枠に吊設したレール片と障子上框に設けた係合溝を互いに係合させて前記レール片に沿って移動する障子において、前記係合溝の底壁にねじ止めした外れ止め具本体の基盤に、相対する一対の支持片を、前記障子の上昇操作に伴って前記レール片が係合する係合間隙を存して立設し、該支持片に規制駒を、嵌合片において嵌合して組付け、前記規制駒を一対の該嵌合片と該嵌合片を回動軸線の偏心位置において互いに接続して前記係合間隙を閉塞する規制片とで構成すると共に、一方の前記嵌合片の円形状の周端面に受入溝を等間隔を存して並設し、前記規制片が前記係合間隙を閉塞したとき任意の該受入溝に係止する係止突条を、一方の前記嵌合片を嵌合した前記支持片の、前記周端面に沿う弾性片の内面に設けた構成とするのである。
【０００７】
【実施例】
図面は本発明に係る障子外れ止め装置の一実施例を示し、図１は縦断面図、図２は図１の横断面図、図３は図２のＸ−Ｘ線断面図、図４は図２のＹ−Ｙ線断面図、図５は外れ止め具の配置位置を示す略示正面図である。
【０００８】
実施例のものは、窓枠Ｆの上枠１にレール片２を吊設し、該レール片２と上框に設けた係合溝４を互いに係合させるようにして内外の障子Ｂ，Ｂ´を前記窓枠Ｆに組付け、外障子（以下、単に障子）Ｂの上框３に外れ止め具Ａを取付け、該外れ止め具Ａと前記窓上枠１のレール片２との接触関係によって障子Ｂの窓枠Ｆからの外れを防ぐものであるが、本発明の適用は実施例のような引違い障子にのみ限定する必要はない。
【０００９】
外れ止め具Ａは、止め具本体５と該止め具本体５に組付けた規制駒６とで構成し、止め具本体５は前記上框３の係合溝４の底壁４ａにねじ１２で止着した基盤７と前記レール片２の直下に位置して該レール片２が係合する係合間隙８を存して前記基盤７に立設した室内外一対の支持片９，９Ａで構成したものである。
【００１０】
止め具本体５を構成する室内側の一方の支持片９には円形状の支持孔１０を、他の一方の支持片９Ａはこの支持孔１０と同一軸線に位置して径をほぼ同じくする円形状の支持部１０Ａをそれぞれ設けてある。支持部１０Ａは、前記一方の支持片９の対向面側にして前記の通り他の一方の支持片９Ａに設けたもので、前記支持片９より高さの低い、支持片９と同様に方形状の主体部９Ａ´の上端に円弧状に突設した一対の弾性片１１，１１の内面に内周面を連続するようにして前記主体部９Ａ´に形成した半円状の凹入部１０Ａ´（主体部９Ａ´の前記支持孔１０に対応する部分を室外方向に凹入させて形成してある）とで構成し、この支持部１０Ａを構成する凹入部１０Ａ´の奥壁には、凹入部１０Ａ´の前記内周面に沿うようにして円弧状の案内長孔１３を設けてある。
【００１１】
そして、この支持部１０Ａに前記規制駒６の一方の嵌合片１４Ａを、前記支持孔１０に規制駒６の他の一方の嵌合片１４をそれぞれ回動可能に係合し、嵌合片１４，１４Ａ間に介在してこれらを接続した規制片１５を前記軸線より偏心位置に配して前記係合間隙８に一致させて配する一方、一方の嵌合片１４Ａの室外端面に設けた突子１６を前記案内長孔１３に係合して、規制駒６は前記の通り装置本体５に組付けてある。
【００１２】
なお、規制駒６は、一方の嵌合片１４の周端が前記支持孔１０の内周面に、他の一方の嵌合片１４Ａの周端が前記支持部１０Ａの内周面にそれぞれ接触して回動が円滑に行われるようにしてあり、この回動軸線に偏心させて配した前記規制片１５は嵌合片１４，１４Ａの周端位置において前記回動軸線（前記軸線）に沿わせて配してレール片２の係合間隙８への係合（すなわち、障子Ｂの上昇）を規制するが、要は、仮想線である回動軸線位置よりずれ（偏心位置にあり）、規制駒６を回動させることにより低所より高所に移動してレール片２の係合間隙８への係合を規制する位置に配してあれば良い。
【００１３】
また、前記突子１６と案内長孔１３の係合関係は本発明の実施には必ずしも必要としないが、実施例の場合、案内長孔１３の一端１３´から他の一端１３´´方向に突子１６を移動（規制駒６を回動させて）させることにより、案内長孔１３の他端１３´´側の中間位置（規制片１５の断面欠円形状により）で規制片１５のレール片２の係合間隙８に対する規制を行えるようになっており、突子１６の案内長孔１３の両端間にのみ移動を可能にして規制駒６の必要以上の無駄な回動操作を防ぐことができる。
【００１４】
また、実施例は、規制駒６の一方の嵌合片１４Ａを、歯車状に形成し、円形状の周端面に多数の受入溝１７，…を等間隔を存して並設し、任意の受入溝１７に係止するように支持部１０Ａを構成する前記弾性片１１の先端内面に設けた係止突条１８を設け、該係止突条１８がいずれかの受入溝１７に常に係合した状態にしてある。
【００１５】
また、実施例は、係合溝４を構成する上框部片である室内側側壁４ｂに工具挿通用の窓孔２０を設け（室内側側壁４ｂに重なり合う上框部片３ａにも窓孔２０Ａを設けてある）、該窓孔２０を通じて（実施例の場合窓孔２０Ａも通じて）、室内側から工具先端を規制駒６の嵌合片１４の室内端面に設けた受止溝２１に係合して回動させると、嵌合片１４と支持孔１０の係合関係および嵌合片１４Ａと支持部１０Ａの係合関係により規制駒６は回動し、その回動に伴って、規制片１５は係合間隙８の下位側部分から回動しながら上位側へと移動し、かつ、突子６も一端１３´から他の一端１３´´へと案内長孔１３に沿って移動し、前記回動操作により、規制片１５が最上位位置に移動した状態（それを過ぎる移動は、前記の通り、突子６が案内長孔１３の一端１３´´に係止することにより規制される）となり、当該状態位置は、係止突条１８と受入溝１７との係合関係で維持され、かつ、この状態で、レール片２の係合間隙８乃至係合溝４底壁４ａ寄りへの係合が規制されることとなり、障子Ｂをけんどん操作で上昇させて窓枠Ｆ（上枠１）より外そうとしても当該障子Ｂの上昇は規制され外れ止めが行われる。
【００１６】
そして、必要に応じて、規制駒６を嵌合片１４において原位置へと回動させると、規制片１５は規制位置から後退して、レール片２が係合溝４乃至係合間隙８２係合される状態となり、けんどん操作による障子Ｂの窓枠Ｆからの取り外しができるようになるのである。
【００１７】
【発明の効果】
本発明は前記の通りの構成であるから、窓枠に対し障子をどの位置に配しても、レール片の係合溝への障子上昇可能位置までの係合を規制して、けんどん操作による障子取り外しを防止できる。
【００１８】
そして、嵌合片乃至規制駒の回動軸線より偏心させた規制片によりレール片の係合間隙に対する係合を規制するものであるから、嵌合片乃至規制駒を回動させるだけで前記規制を解放できるから、所望に応じてけんどんによる取り外し、煩雑な作業を要しないで行うことができる。
【図面の簡単な説明】
【図１】縦断面図。
【図２】図１の横断面図。
【図３】図２のＸ−Ｘ線断面図。
【図４】図２のＹ−Ｙ線断面図。
【図５】外れ止め具の配置位置を示す略示正面図。
【符号の説明】
１            窓上枠
２            レール片
３            上框
４            係合溝
４ａ          底壁
５            装置本体
６            規制駒
７            基盤
８            係合間隙
９，９Ａ      支持片
１４，１４Ａ  嵌合片
１５          規制片
【図１】
0003910053.tif 000002
【図２】
0003910053.tif 000003
【図３】
0003910053.tif 000004
【図４】
0003910053.tif 000005
【図５】
0003910053.tif 000006